(57)【要約】【課題】プラグを挿抜する際に発生したアークが外部へ噴出するのを防止することができるテーブルタップを提供する。【解決手段】３個のプラグを接続できるように一対の栓刃挿入口１３，１３が３組設けられた器体１と、器体１から引き出された電源コード２と、電源コード２が遊挿され器体１に保持されたブッシング４とを備えている。ブッシング４は、器体１から突出した筒状のブッシング本体部４１の先端部において内方へ突設され電源コード２に弾接する内鍔片４４が設けられている。【選択図】      図１
2004227784.tif 000002
【特許請求の範囲】
【請求項１】
プラグの接触子を挿抜する接触子挿入口が設けられ接触子を受けて接触子に電気的に接続される接続部材が収納された器体と、器体内で接続部材に電気的に接続され器体のコード挿通孔を通して外部に引き出される電源コードと、電源コードが遊挿され器体に保持されたブッシングとを備え、ブッシングは、器体から突出した筒状のブッシング本体部に電源コードの外周面と全周に亘って当接する隙間防止部が設けられてなることを特徴とするテーブルタップ。
【請求項２】
前記隙間防止部は、前記ブッシング本体部の先端部において全周に亘って内方へ突設された内鍔片からなることを特徴とする請求項１記載のテーブルタップ。
【請求項３】
前記ブッシングは、前記隙間防止部の肉厚が前記ブッシング本体部の肉厚に比べて薄く形成されてなることを特徴とする請求項２記載のテーブルタップ。
【請求項４】
前記ブッシング本体部は、先端に近づくほど細くなる先細り状に形成され、前記ブッシング本体部の先端部が前記隙間防止部を構成することを特徴とする請求項１記載のテーブルタップ。
【請求項５】
前記ブッシング本体部は、先端に近づくほど肉厚が薄くなる形状に形成されてなることを特徴とする請求項４記載のテーブルタップ。
【請求項６】
前記器体は、前記ブッシング本体との並び方向において前記ブッシング本体部側の形状が前記ブッシング本体部に近づくほど細くなる先細り状に形成され、前記器体の外周面と前記ブッシング本体部の外周面とが滑らかに連続することを特徴とする請求項１ないし請求項５のいずれかに記載のテーブルタップ。
【請求項７】
前記器体は、前記並び方向において前記ブッシング本体部とは反対側の形状が前記ブッシング本体部から離れるほど細くなる先細り状に形成されてなることを特徴とする請求項６記載のテーブルタップ。
【請求項８】
前記器体は、外ボディと外カバーとを組立ねじを用いて結合される外殻を備え、組立ねじを前記器体における前記ブッシング本体部側の端部に配置してなることを特徴とする請求項６または請求項７記載のテーブルタップ。
【請求項９】
前記外殻は、前記組立ねじが挿通されるボスが形成され、ボスの外周面と前記外殻の内周面との間にボスの補強と前記電源コードの張力止めを兼ねるリブが形成されてなることを特徴とする請求項８記載のテーブルタップ。
【発明の詳細な説明】
【０００１】
【発明の属する技術分野】
本発明は、テーブルタップに関するものである。
【０００２】
【従来の技術】
従来から、図１５に示すように、３個のプラグを接続できるように一対の栓刃挿入口（接触子挿入口）１３，１３が３組設けられた器体１’と、器体１’から引き出された電源コード２と、電源コード２の一端部に接続された給電用プラグ（図示せず）と、電源コード２の他端部に被せられたブッシング４’とを備えたテーブルタップが知られている（例えば、特許文献１参照）。
【０００３】
【特許文献１】
特開平４−２１２２７５号公報（第３頁、第２図）
【０００４】
【発明が解決しようとする課題】
ところで、上記従来構成のテーブルタップでは、プラグの栓刃（接触子）を栓刃挿入口１３を通して器体１’内の刃受ばね（接続部材）に対して挿抜する際に器体１’の内側でアークが発生することがあるが、ブッシング４’と電源コード２との間に隙間が形成されているので、当該隙間を通してアークが外部へ噴出してしまう恐れがあった。
【０００５】
本発明は上記事由に鑑みて為されたものであり、その目的は、プラグを挿抜する際に発生したアークが外部へ噴出するのを防止することができるテーブルタップを提供することにある。
【０００６】
【課題を解決するための手段】
請求項１の発明は、上記目的を達成するために、プラグの接触子を挿抜する接触子挿入口が設けられ接触子を受けて接触子に電気的に接続される接続部材が収納された器体と、器体内で接続部材に電気的に接続され器体のコード挿通孔を通して外部に引き出される電源コードと、電源コードが遊挿され器体に保持されたブッシングとを備え、ブッシングは、器体から突出した筒状のブッシング本体部に電源コードの外周面と全周に亘って当接する隙間防止部が設けられてなることを特徴とするものであり、プラグを挿抜する際に発生したアークが外部へ噴出するのを防止することができる。
【０００７】
請求項２の発明は、請求項１の発明において、前記隙間防止部は、前記ブッシング本体部の先端部において全周に亘って内方へ突設された内鍔片からなるので、前記電源コードが折り曲げられた時に前記ブッシング本体部にかかる応力を緩和することができる。
【０００８】
請求項３の発明は、請求項２の発明において、前記ブッシングは、前記隙間防止部の肉厚が前記ブッシング本体部の肉厚に比べて薄く形成されてなるので、前記電源コードが折り曲げられた時に前記ブッシング本体部にかかる応力をより緩和することができる。
【０００９】
請求項４の発明は、請求項１の発明において、前記ブッシング本体部は、先端に近づくほど細くなる先細り状に形成され、前記ブッシング本体部の先端部が前記隙間防止部を構成するので、前記ブッシング本体部の先端部の外周面と前記ブッシング本体部から引き出された前記電源コードの外周面との間に形成される段差を小さくすることができ、外観を高めることができる。
【００１０】
請求項５の発明は、請求項４の発明において、前記ブッシング本体部は、先端に近づくほど肉厚が薄くなる形状に形成されてなるので、前記電源コードが折り曲げられた時に前記ブッシング本体部の先端にかかる応力を緩和することができる。
【００１１】
請求項６の発明は、請求項１ないし請求項５の発明において、前記器体は、前記ブッシング本体部との並び方向において前記ブッシング本体部側の形状が前記ブッシング本体部に近づくほど細くなる先細り状に形成され、前記器体の外周面と前記ブッシング本体部の外周面とが滑らかに連続するので、手にフィットしやすくて掴みやすく、また、落下時に応力が集中せず壊れにくくなる。
【００１２】
請求項７の発明は、請求項６の発明において、前記器体は、前記並び方向において前記ブッシング本体部とは反対側の形状が前記ブッシング本体部から離れるほど細くなる先細り状に形成されてなるので、落下時の応力集中をより緩和することができて、より壊れにくくなる。
【００１３】
請求項８の発明は、請求項６または請求項７の発明において、前記器体は、外ボディと外カバーとを組立ねじを用いて結合される外殻を備え、組立ねじを前記器体における前記ブッシング本体部側の端部に配置してなるので、組立ねじに直交する面内であって前記並び方向に直交する方向において組立ねじと前記外殻の内面との間の距離を小さくすることができ、外ボディと外カバーとをしっかりと結合することができる。
【００１４】
請求項９の発明は、請求項８の発明において、前記外殻は、前記組立ねじが挿通されるボスが形成され、ボスの外周面と前記外殻の内周面との間にボスの補強と前記電源コードの張力止めを兼ねるリブが形成されているので、前記組立ねじが挿通されるボスを補強することができるとともに前記電源コードの張力止めを行うことができる。
【００１５】
【発明の実施の形態】
（実施形態１）
以下、本実施形態のテーブルタップについて図１〜図９を参照しながら説明する。
【００１６】
本実施形態のテーブルタップは、３個のプラグ（図示せず）を接続できるように一対の栓刃挿入口１３，１３が３組設けられた器体１と、器体１から引き出された電源コード２と、電源コード２の一端部に接続された給電用プラグ３（図４参照）とを備えている。なお、本実施形態では、上記プラグの栓刃が接触子を構成し、栓刃挿入口１３が接触子挿入口を構成している。
【００１７】
器体１は、一対の栓刃挿入口１３，１３を３組有し内ボディ１１と内カバー１２とで形成される内郭１０と、各栓刃挿入口１３を露出させて内郭１０を収納するように外ボディ２１と外カバー２２とで形成される外殻２０とで構成される。なお、外殻２０は耐衝撃性を有した熱可塑性樹脂により形成され、内郭１０は耐熱性に優れた熱硬化性樹脂により形成されている。
【００１８】
外殻２０は、外ボディ２１と外カバー２２とを、図４における外ボディ２１の下面から挿入され外カバー２２に螺合する２本の組立ねじ２４を用いて結合することにより形成されている。ここにおいて、外ボディ２１の長手方向の中央部および他端部にそれぞれボス２５，２６が形成されており、外ボディ２１のボス２５，２６の中央部に貫設されたボス孔２５ａ，２６ａに対して外ボディ２１の下面側から組立ねじ２４，２４を挿通し、ボス孔２６ａを通した組立ねじ２４を外カバー２２のボス２７（図７参照）の中央部に形成されたねじ孔２７ａ（図７参照）に螺合させることによって外ボディ２１と外カバー２２とが結合されている。また、内ボディ１２の下壁には、ボス２５が挿通される挿通孔１８が貫設されており、ボス孔２５ａを通した組立ねじ２４は内カバー１２に形成されたねじ孔２８（図６参照）に螺合されるようになっている。
【００１９】
また、内カバー１２の幅方向（短手方向）の両側面にはそれぞれ組立突起１２ａ（図４参照）が２個ずつ突設され、外カバー２２からは各組立突起１２ａにそれぞれ係合する組立爪２２ａ（図４参照）が突設されており、外カバー２２を内カバー１２に近づけるように力を作用させるだけで組立爪２２ａが組立突起１２ａに簡単に係合し外カバー２２が内カバー１２に結合されるようにしてある。また、内カバー１２には、内ボディ１１の長手方向の一端部において突設された位置決め突起１１ｃが嵌入される位置決め穴１２ｃ（図６参照）が形成されている。
【００２０】
なお、図４における外カバー２２の上壁には、内カバー１２において一対の栓刃挿入口１３，１３が２組設けられた上面を露出させる開口窓２２ｂが貫設されており、内郭１０の上面が外カバー２２の開口窓２２ｂを通して露出している。また、外殻２０には、内郭１０の長手方向の一端面であって一対の栓刃挿入口１３，１３を含む面を露出させる窓孔１ａ（図２参照）が形成されており、内郭１０の上記一端面が窓孔１ａを通して露出している。
【００２１】
内ボディ１１は、図４における上面が開口しており、内部空間が内ボディ１１の長手方向の中心線上に形成された仕切リブ１１ａ，１１ａによって基本的に２分割され、２室の端子板収納室１４が形成されている。各端子板収納室１４にはそれぞれ端子板１５が収納されている。
【００２２】
各端子板１５は、図４に示すように、導電性の１枚の板金を屈曲させて形成したものであり、各端子板１５には、それぞれ栓刃を受ける刃受ばね１６（刃受ばね１６は、プラグの栓刃を挟持する一対の受け片を有している）が３個ずつ一体に設けられている。ここに、各端子板１５は、一端部に１個の刃受ばね１６が設けられ、他端部に電源コード２の電線２ａが電気的に接続される端子片１５ａが一体に設けられている。すなわち、電源コード２は、２本の電線２ａ，２ａを有しており、図７に示すように各端子板１５それぞれの端子片１５ａをかしめることにより２つの端子板１５と電気的および機械的に接続されている。また、各端子板１５の端子片１５ａは内ボディ１１には収納されておらず、外ボディ２１の内底面から突出した仕切リブ２１ａにより絶縁されている。なお、各刃受ばね１６は、栓刃を挟持する一対の受け片を有している。また、本実施形態では、刃受ばね１６が接触子（プラグの栓刃）を受けて接触子に電気的に接続される接続部材を構成している。
【００２３】
また、上述の端子板１５は、同じ向きの２個の刃受ばね１６の間に、内ボディ１１の端子板収納室１４の内底面から突設された２つの支持台１７に跨って載置される載置片１５ｂが設けられており、載置片１５ｂには、各支持台１７から突出した位置決め部１７ａがそれぞれ圧入される２つの位置決め孔１５ｃ，１５ｃが貫設されている。
【００２４】
ところで、外ボディ２１は、図４における上面が開口し、ボス２６と外ボディ２１の各内側面との間にそれぞれ２つのリブ２９が形成されており、ボス２６が４つのリブ２９によって補強されている。ここに、リブ２９には、電線２ａを湾曲させた形で保持する保持溝２９ａが形成されており、電源コード２が抜け止めされる。要するに、リブ２９は、ボス２６を補強する機能と電源コード２の張力止めを行う機能（電源コード２への張力を除去する機能）とを有している。なお、ボス２６と内ボディ１１におけるボス２６側の端面との間には図７に示すように外ボディ２１の上記仕切りリブ２１ａが位置しているので、図７の下方向への内ボディ１１の移動は仕切りリブ２１ａにより規制される。
【００２５】
また、外郭２０の長手方向の一端側の側壁には、内郭１０の長手方向の一端面に形成された一対の栓刃挿入口１３，１３を露出させるための長孔状の窓孔１ａ（図２参照）が形成され、他端側の側壁には電源コード２を通すための長孔状のコード挿通孔１ｂ（図１（ｂ）参照）が形成されている。
【００２６】
ここに、器体１は、外ボディ２１の一端部に設けた露出口２１ｃと外カバー２２の一端部に設けた露出口２２ｃとで構成される外殻２０の窓孔１ａにより内郭１０において一対の栓刃挿入口１３，１３を含む面が露出している。また、器体１は、外ボディ２１の他端部に設けた引出口２１ｄと外カバー２２の他端部に設けた引出口２２ｄ（図６参照）とで構成されるコード挿通孔１ｂを通して電源コード２が外部へ引き出されている。
【００２７】
ところで、本実施形態のテーブルタップは、電源コード２が遊挿され且つコード挿通孔１ｂに挿通されて器体１に保持された弾性材料（弾性を有する合成樹脂）からなるブッシング４を備えている。ブッシング４は、器体１から突出する筒状のブッシング本体部４１と、器体１内においてコード挿通孔１ｂの周部に当接する環状の取付部４２と、ブッシング本体部４１と取付部４２とを連結しコード挿通孔１ｂ内に位置する連結部４３とが連続一体に形成されている。ここに、ブッシング４は、取付部４２が器体１内でコード挿通孔１ｂの周部に係止され、ブッシング本体部４１の外周面と器体１の外周面との間に隙間が形成されないように連結部４３の軸方向（図１（ｂ）における左右方向）の寸法が設定されている。
【００２８】
また、ブッシング４は、器体１から突出した筒状のブッシング本体部４１の先端部において内方へ突設され電源コード２に弾接する内鍔片４４が設けられている。また、ブッシング本体部４１は、先端に近づくほど細くなる先細り状に形成され、器体１の外周面とブッシング本体部４１の外周面とが滑らかに連続する形状に形成されている。なお、ブッシング本体部４１には、複数の環状の溝４１ａが電源コード２の引き出し方向に並んで形成されている。
【００２９】
しかして、本実施形態のテーブルタップでは、ブッシング本体部４１の先端部において内方へ突設され電源コード２の外周面と全周に亘って弾接する内鍔片４４が設けられていることにより、プラグを栓刃挿入口１３を通して挿抜する際に器体１内で発生したアークがテーブルタップの外部へ噴出するのを防止することができる。また、本実施形態では、内鍔片４４が、電源コード２の外周面と全周に亘って当接する隙間防止部を構成しており、電源コード２が折り曲げられた時にブッシング本体部４１にかかる応力を緩和することができる。
【００３０】
また、上述のブッシング４は、図８に示すように、隙間防止部たる内鍔片４４の肉厚Ｈ３がブッシング本体部４１の肉厚Ｈ４に比べて薄く形成されているので、内鍔片４４の肉厚Ｈ３がブッシング本体部４１の肉厚Ｈ４と同程度に設定されている場合に比べて、電源コード２が折り曲げられた時にブッシング本体部４１にかかる応力をより緩和することができる。
【００３１】
ところで、図１５に示した従来のテーブルタップでは、器体１’の幅寸法がブッシング４’側の端部を除いて略一定であり、器体１’の平面形状が矩形に近い形状に形成されているので、形状的に手に馴染みにくく、また、器体１’が落下した時に角部に応力が集中し破損しやすいという不具合があった。
【００３２】
これに対して、本実施形態では、図３に示すように器体１の幅寸法（図３における上下方向の寸法）がブッシング４のブッシング本体部４１に近づくにつれて徐々に小さくなっており（つまり、器体１はブッシング本体部４１との並び方向においてブッシング本体部４１側の形状が先細り状に形成されており）、器体１が手にフィットしやすく器体１を手で掴み易いという利点がある。しかも、器体１の外周面とブッシング本体部４１の外周面とが滑らかに連続しているので、例えば図９に示すように器体１におけるブッシング本体部４１側の端部が反対側の端部に比べて先に床面５に到達するような状態で矢印Ａの向きに落下した場合に器体１に応力が集中しにくく破損しにくいという利点がある（器体１の落下による器体１の破損を防止することができるという利点がある）。さらに、器体１は、上記並び方向においてブッシング本体部４１とは反対側の形状がブッシング本体部４１から離れるほど細くなる先細り状に形成されているので、落下時に応力が集中するような箇所をより少なくすることができ、落下時の応力集中をより緩和することができ、より壊れにくくなるという利点がある。
【００３３】
また、外郭２０は外ボディ２１の上端縁と外カバー２２の下端縁とを突き合わせた状態で上述の組立ねじ２４を用いて結合されているが、組立ねじ２４と外殻２０の幅方向の外周面との間の距離が大きくなると、外ボディ２１と外カバー２２との間に不要な隙間が形成されてしまう恐れがある。しかしながら、本実施形態では、上述のように、器体１とブッシング本体部４１との並び方向においてブッシング本体部４１側の器体１の形状がブッシング本体部４１に近づくほど細くなる先細り状に形成されており、器体１の幅寸法が狭くなっている部位に上述のボス孔２６ａが設けられている（つまり、一方の組立ねじ２４を器体１におけるブッシング本体部４１側の端部に配置している）ので、ボス孔２６ａの中心と外殻２０の両側面との間の距離Ｈ１，Ｈ１（図７参照）をボス孔２５ａの中心と外殻２０の外周面との間の距離に比べて小さくすることができ、ボス孔２６ａに挿通する組立ねじ２４によって外ボディ２１と外カバー２２とをしっかりと結合することができる。したがって、外ボディ２１と外カバー２２との間に不要な隙間が形成されるのを防止することができ、外観を美麗に仕上げることができるとともに、外ボディ２１と外カバー２２とで構成される外郭２０の内側へ塵や埃などの異物が侵入するのを防止することができる。
【００３４】
（実施形態２）
以下、本実施形態のテーブルタップについて図１０〜図１３を参照しながら説明する。なお、実施形態１と同様の構成要素には同一の符号を付して説明を適宜省略する。
【００３５】
本実施形態のテーブルタップは、器体７と、器体７から引き出された電源コード２と、電源コード２の一端部に接続された給電用プラグ（図示せず）とを備えている。ここにおいて、器体７には、実施形態１の器体１と同様、３個のプラグ（図示せず）を接続できるように一対の栓刃挿入口１３，１３が３組設けられている。
【００３６】
器体７は、それぞれ一対の栓刃挿入口１３，１３が形成された３個の受口カバー７３と、ボディ７１と、カバー７２とで構成され、ボディ７１とカバー７２とを２本の組立ねじ７４，７４を用いて結合している。ここに、各受口カバー７３、ボディ７１、カバー７２はそれぞれ合成樹脂により形成されている。
【００３７】
なお、カバー７２の表面には凹所が形成されており、平板状の化粧カバー８２が着脱自在に覆着されているが、テーブルタップを壁や机やパーティションなどの対象物に固定したい場合には、ブッシング本体部４１において化粧カバー８２近傍に形成された凹部４６にマイナスドライバなどの先端部を挿入して化粧カバー８２を取り外して、上記対象物への固定手段を有し且つカバー７２への取付手段を有するアダプタを化粧カバー８２の代わりに取り付けるようにしてもよい。また、ボディ７１の裏面にも凹所が形成されており、カバー７２と同様に平板状の化粧カバー８１が覆着されている。
【００３８】
器体７には、実施形態１と同様に、それぞれ３個の刃受ばね１６が一体に設けられた２個の端子板１５が収納されており、栓刃挿入口１３を通して器体７内に挿入された栓刃が刃受ばね１６に電気的に接続されるようになっている。また、端子板１５の一端部（図１１における左端部）には電源コード２の電線２ａがかしめにより電気的および機械的に接続される端子片１５ａが一体に設けられている。なお、各端子板１５の形状は実施形態１とは相違している。
【００３９】
また、本実施形態のテーブルタップ１も実施形態１と同様に、器体７にコード挿通孔７ｂが形成されており、電源コード２が遊挿され且つコード挿通孔７ｂに挿通されて器体７に保持されたブッシング４を備えている。
【００４０】
ブッシング４は、器体７から一部が突出する上述のブッシング本体部４１と、コード挿通孔７ｂの周部に係止される一対の取付部４５，４５とが連続一体に形成されている。本実施形態においても、実施形態１と同様、ブッシング本体部４１の先端部において内方へ突設され電源コード２の外周面と全周に亘って弾接する内鍔片４４が設けられていることにより、プラグを栓刃挿入口１３を通して挿抜する際に器体７内で発生したアークがテーブルタップの外部へ噴出するのを防止することができる。また、本実施形態では、内鍔片４４が、電源コード２の外周面と全周に亘って当接する隙間防止部を構成しており、電源コード２が折り曲げられた時にブッシング本体部４１にかかる応力を緩和することができる。
【００４１】
なお、実施形態１のブッシング４では、ブッシング本体部４１の軸方向に取付部４２を設けてあるので、商品の全長が長くなる要因となるが、本実施形態のようにブッシング本体部４１の側面に取付部４５，４５を設けることで、商品の全長が長くなるのを防止することが可能となる。
【００４２】
また、ブッシング４の形状は上述の形状に限定されるものではなく、例えば、図１４に示すようにブッシング本体部４１を先端に近づくほど細くなる先細り状に形成し、ブッシング本体部４１の先端部が電源コード２の外周面に全周に亘って当接（弾接）するようにしてもよく、このようなブッシング４を採用した場合にも、プラグを栓刃挿入口１３を通して挿抜する際に器体７内で発生したアークがテーブルタップの外部へ噴出するのを防止することができる。また、図１４に示すブッシング４の場合には、ブッシング本体部４１の先端部が隙間防止部を構成するので、ブッシング本体部４１の先端部の外周面とブッシング本体部４１から引き出された電源コード２の外周面との間に形成される段差を小さくすることができ、外観を高めることができる。また、図１４に示すブッシング４は、ブッシング本体部４１の形状が先端に近づくほど肉厚が薄くなる形状に形成されているので、電源コード２が折り曲げられた時にブッシング本体部４１の先端にかかる応力を緩和することができる。なお、実施形態１のテーブルタップにおいても、ブッシング本体部４１を先端に近づくほど細くなる先細り状に形成し、ブッシング本体部４１の先端部が電源コード２の外周面に全周に亘って当接（弾接）するようなブッシング４を採用してもよいことは勿論である。
【００４３】
【発明の効果】
請求項１の発明は、プラグの接触子を挿抜する接触子挿入口が設けられ接触子を受けて接触子に電気的に接続される接続部材が収納された器体と、器体内で接続部材に電気的に接続され器体のコード挿通孔を通して外部に引き出される電源コードと、電源コードが遊挿され器体に保持されたブッシングとを備え、ブッシングは、器体から突出した筒状のブッシング本体部に電源コードの外周面と全周に亘って当接する隙間防止部が設けられてなるものであり、プラグを挿抜する際に発生したアークが外部へ噴出するのを防止することができるという効果がある。
【００４４】
請求項２の発明は、請求項１の発明において、前記隙間防止部は、前記ブッシング本体部の先端部において全周に亘って内方へ突設された内鍔片からなるので、前記電源コードが折り曲げられた時に前記ブッシング本体部にかかる応力を緩和することができるという効果がある。
【００４５】
請求項３の発明は、請求項２の発明において、前記ブッシングは、前記隙間防止部の肉厚が前記ブッシング本体部の肉厚に比べて薄く形成されてなるので、前記電源コードが折り曲げられた時に前記ブッシング本体部にかかる応力をより緩和することができるという効果がある。
【００４６】
請求項４の発明は、請求項１の発明において、前記ブッシング本体部は、先端に近づくほど細くなる先細り状に形成され、前記ブッシング本体部の先端部が前記隙間防止部を構成するので、前記ブッシング本体部の先端部の外周面と前記ブッシング本体部から引き出された前記電源コードの外周面との間に形成される段差を小さくすることができ、外観を高めることができるという効果がある。
【００４７】
請求項５の発明は、請求項４の発明において、前記ブッシング本体部は、先端に近づくほど肉厚が薄くなる形状に形成されてなるので、前記電源コードが折り曲げられた時に前記ブッシング本体部の先端にかかる応力を緩和することができるという効果がある。
【００４８】
請求項６の発明は、請求項１ないし請求項５の発明において、前記器体は、前記ブッシング本体部との並び方向において前記ブッシング本体部側の形状が前記ブッシング本体部に近づくほど細くなる先細り状に形成され、前記器体の外周面と前記ブッシング本体部の外周面とが滑らかに連続するので、手にフィットしやすくて掴みやすく、また、落下時に応力が集中せず壊れにくくなるという効果がある。
【００４９】
請求項７の発明は、請求項６の発明において、前記器体は、前記並び方向において前記ブッシング本体部とは反対側の形状が前記ブッシング本体部から離れるほど細くなる先細り状に形成されてなるので、落下時の応力集中をより緩和することができて、より壊れにくくなるという効果がある。
【００５０】
請求項８の発明は、請求項６または請求項７の発明において、前記器体は、外ボディと外カバーとを組立ねじを用いて結合される外殻を備え、組立ねじを前記器体における前記ブッシング本体部側の端部に配置してなるので、組立ねじに直交する面内であって前記並び方向に直交する方向において組立ねじと前記外殻の内面との間の距離を小さくすることができ、外ボディと外カバーとをしっかりと結合することができるという効果がある。
【００５１】
請求項９の発明は、請求項８の発明において、前記外殻は、前記組立ねじが挿通されるボスが形成され、ボスの外周面と前記外殻の内周面との間にボスの補強と前記電源コードの張力止めを兼ねるリブが形成されているので、前記組立ねじが挿通されるボスを補強することができるとともに前記電源コードの張力止めを行うことができるという効果がある。
【図面の簡単な説明】
【図１】実施形態１を示し、（ａ）は要部斜視図、（ｂ）は要部断面図である。
【図２】同上の要部斜視図である。
【図３】同上の要部平面図である。
【図４】同上の分解斜視図である。
【図５】同上において内カバーおよび外カバーを取り外した状態の要部平面図である。
【図６】同上の要部断面図である。
【図７】同上において内カバーおよび外カバーを取り外した状態の要部平面図である。
【図８】同上の要部断面図である。
【図９】同上の説明図である。
【図１０】実施形態２を示し、（ａ）は要部斜視図、（ｂ）は要部断面図である。
【図１１】同上においてカバーを取り外した状態の要部平面図である。
【図１２】同上の要部断面図である。
【図１３】同上の要部断面図である。
【図１４】同上の他の構成例の要部断面図である。
【図１５】従来例を示す要部斜視図である。
【符号の説明】
１  器体
２  電源コード
３  給電用プラグ
４  ブッシング
１０  内郭
１１  内ボディ
１２  内カバー
１３  栓刃挿入口
２０  外殻
２１  外ボディ
２２  外カバー
４１  ブッシング本体部
４２  取付部
４３  連結部
４４  内鍔片
【図１】
2004227784.tif 000003
【図２】
2004227784.tif 000004
【図３】
2004227784.tif 000005
【図４】
2004227784.tif 000006
【図５】
2004227784.tif 000007
【図６】
2004227784.tif 000008
【図７】
2004227784.tif 000009
【図８】
2004227784.tif 000010
【図９】
2004227784.tif 000011
【図１０】
2004227784.tif 000012
【図１１】
2004227784.tif 000013
【図１２】
2004227784.tif 000014
【図１３】
2004227784.tif 000015
【図１４】
2004227784.tif 000016
【図１５】
2004227784.tif 000017